(57)【要約】【課題】アクセスポイントに設定すべき複数のＳＳＩＤを効率的に制御する技術を提供する。【解決手段】取得部４２は、アクセスポイント１２の使用環境についての情報を取得する。選択部４６は、取得部４２において取得した情報に応じて、アクセスポイントに設定可能なサービスセット識別子の第１数よりも多い第２数のサービスセット識別子から、第１数以下の第３数のサービスセット識別子を選択する。指示部４８は、選択部４６において選択した第３数のサービスセット識別子のそれぞれが含まれたビーコンを送信するように、アクセスポイント１２に指示する。【選択図】図１
2015043537.tif 000002
【特許請求の範囲】
【請求項１】
アクセスポイントの使用環境についての情報を取得する取得部と、
前記取得部において取得した情報に応じて、アクセスポイントに設定可能なサービスセット識別子の第１数よりも多い第２数のサービスセット識別子から、第１数以下の第３数のサービスセット識別子を選択する選択部と、
前記選択部において選択した第３数のサービスセット識別子のそれぞれが含まれたビーコンを送信するように、アクセスポイントに指示する指示部と、
を備えることを特徴とする管理装置。
【請求項２】
前記選択部は、第２数のサービスセット識別子から、第３数のサービスセット識別子を時間とともに変更しながら選択し、
前記指示部は、ビーコンに含まれるべき第３数のサービスセット識別子のそれぞれを時間とともに変更するように、アクセスポイントに指示することを特徴とする請求項１に記載の管理装置。
【請求項３】
前記選択部は、第１数よりも少ない第４数のサービスセット識別子のそれぞれが含まれたビーコンをアクセスポイントに送信させるべき場合、第４数のサービスセット識別子を選択するとともに、第１数と第４数との差分の第５数のサービスセット識別子を未選択であり、
前記指示部は、前記選択部において選択した第４数のサービスセット識別子のそれぞれだけが含まれたビーコンを送信するように、アクセスポイントに指示することを特徴とする請求項１に記載の管理装置。
【請求項４】
前記選択部は、第４数のサービスセット識別子のうちの一部を固定して選択し、第４数のサービスセット識別子のうちの残りを時間とともに変更しながら選択することを特徴とする請求項３に記載の管理装置。
【請求項５】
前記指示部は、アクセスポイントが使用可能な複数の周波数帯のうち、第１周波数帯において、サービスセット識別子が含まれたビーコンをアクセスポイントに送信させ、第１周波数帯とは異なった第２周波数帯において、サービスセット識別子に対応したデータ通信をアクセスポイントに実行させることを特徴とする請求項１から４のいずれかに記載の管理装置。
【請求項６】
アクセスポイントに過去にアクセスしたステーションのＭＡＣアドレスとサービスセット識別子との対応関係を記憶する記憶部をさらに備え、
前記取得部は、使用環境についての情報として、アクセスポイントにアクセス可能なステーションのＭＡＣアドレスを取得し、
前記選択部は、前記記憶部に記憶した対応関係を参照することによって、前記取得部において取得したＭＡＣアドレスからサービスセット識別子を選択することを特徴とする請求項１から５のいずれかに記載の管理装置。
【請求項７】
第１のアクセスポイントにアクセス済のステーションのＭＡＣアドレスとサービスセット識別子との対応関係を記憶する記憶部をさらに備え、
前記取得部は、使用環境についての情報として、第１のアクセスポイントとは異なった第２のアクセスポイントにアクセス可能なステーションのＭＡＣアドレスを取得し、
前記選択部は、前記記憶部に記憶した対応関係を参照することによって、前記取得部において取得したＭＡＣアドレスからサービスセット識別子を選択することを特徴とする請求項１から５のいずれかに記載の管理装置。
【請求項８】
アクセスポイントが設置された位置情報を記憶するとともに、当該アクセスポイントにアクセスすべきステーションのＭＡＣアドレスとサービスセット識別子との対応関係を記憶する記憶部をさらに備え、
前記取得部は、使用環境についての情報として、ステーションの位置情報をもとに、前記記憶部に記憶した位置情報を参照することによって、当該ステーションにアクセスされる可能性の高いアクセスポイントを取得し、
前記選択部は、前記記憶部に記憶した対応関係を参照することによって、前記取得部において取得したアクセスポイントにアクセスすべきステーションのＭＡＣアドレスからサービスセット識別子を選択することを特徴とする請求項１から５のいずれかに記載の管理装置。
【請求項９】
ステーションに関連したＷＷＡＮの加入者情報とステーションのＭＡＣアドレスとの第1の対応関係を記憶するとともに、ステーションのＭＡＣアドレスとサービスセット識別子との第２の対応関係を記憶する記憶部をさらに備え、
前記取得部は、使用環境についての情報として、ステーションのＭＡＣアドレスを取得し、
前記選択部は、前記記憶部に記憶した第１の対応関係を参照することによって、前記取得部において取得したＭＡＣアドレスに対するＷＷＡＮの加入者情報を確認した場合、前記記憶部に記憶した第２の対応関係を参照することによって、前記取得部において取得したＭＡＣアドレスからサービスセット識別子を選択することを特徴とする請求項１から５のいずれかに記載の管理装置。
【請求項１０】
ステーションのＭＡＣアドレスに対する過去のサービスセット識別子の使用実績であって、かつ広告に対応づけられたサービスセット識別子の使用実績を記憶する記憶部と、
前記記憶部に記憶した使用実績を複数のステーションにわたって処理することによって、ステーションに適した広告を推定する推定部をさらに備え、
前記取得部は、使用環境についての情報として、ステーションのＭＡＣアドレスを取得し、
前記選択部は、前記取得部において取得したＭＡＣアドレスをもとに、前記推定部において推定した広告に対応づけられたサービス識別子を選択することを特徴とする請求項１から５のいずれかに記載の管理装置。
【請求項１１】
前記推定部は、ステーションがアクセスしたアクセスポイントの位置および時間の少なくとも一方ごとに推定を実行することを特徴とする請求項１０に記載の管理装置。
【請求項１２】
複数の周波数帯を使用可能なアクセスポイントであって、
複数の周波数帯のうち、第１周波数帯において、サービスセット識別子が含まれたビーコンを送信する第１通信部と、
複数の周波数帯のうち、第１周波数帯とは異なった第２周波数帯において、前記第１通信部からのビーコンを受信したターミナルとの間の通信を実行する第２通信部とを備え、
前記第１通信部は、本アクセスポイントに設定可能なサービスセット識別子の第１数よりも多い第２数のサービスセット識別子から、第１数以下の第３数のサービスセット識別子を時間とともに変更するとともに、第３数のサービスセット識別子のそれぞれが含まれたビーコンを送信し、
前記第２通信部は、前記第１通信部において送信したビーコンに含めたサービスセット識別子を通信に使用することを特徴とするアクセスポイント。
【発明の詳細な説明】
【技術分野】
【０００１】
本発明は、通信技術に関し、特にサービスセット識別子を使用する管理装置およびアクセスポイントに関する。
【背景技術】
【０００２】
ＩＥＥＥ８０２．１１における無線ＬＡＮ（Ｌｏｃａｌ）  Ａｒｅａ  Ｎｅｔｗｏｒｋ）では、サービスセット識別子（ＳＳＩＤ：Ｓｅｒｖｉｃｅ  Ｓｅｔ  Ｉｄｅｎｔｉｆｉｅｒ）が規定されている。ＳＳＩＤは、無線ＬＡＮのアクセスポイントを識別するために使用され、一般的に、ビーコンに含まれてアクセスポイントからブロードキャスト送信される。ひとつのアクセスポイントにおいて、複数のＳＳＩＤのブロードキャストをサポートしている場合もあり、仮想的なアクセスポイントの生成が可能になる（例えば、非特許文献１参照。）。
【先行技術文献】
【非特許文献】
【０００３】
【非特許文献１】守倉正博、久保田周治、８０２．１１高速無線ＬＡＮ教科書、日本、株式会社インプレス  ネットビジネスカンパニー、２００５年１月１日、ｐ．６４−７７
【発明の概要】
【発明が解決しようとする課題】
【０００４】
仮想的なアクセスポイントは、単一の物理アクセスポイントを複数の論理アクセスポイントに分割したもので、各論理アクセスポイントに対して互いに異なった設定が可能である。このような仮想的なアクセスポイントによって柔軟なネットワークの構築が可能になる。一方、ひとつのアクセスポイントに複数のＳＳＩＤが設定可能である場合、ＳＳＩＤの効率的な制御が要求される。
【０００５】
本発明はこうした状況に鑑みてなされたものであり、その目的は、アクセスポイントに設定すべき複数のＳＳＩＤを効率的に制御する技術を提供することにある。
【課題を解決するための手段】
【０００６】
上記課題を解決するために、本発明のある態様の管理装置は、アクセスポイントの使用環境についての情報を取得する取得部と、取得部において取得した情報に応じて、アクセスポイントに設定可能なサービスセット識別子の第１数よりも多い第２数のサービスセット識別子から、第１数以下の第３数のサービスセット識別子を選択する選択部と、選択部において選択した第３数のサービスセット識別子のそれぞれが含まれたビーコンを送信するように、アクセスポイントに指示する指示部と、を備える。
【０００７】
本発明の別の態様は、アクセスポイントである。このアクセスポイントは、複数の周波数帯を使用可能なアクセスポイントであって、複数の周波数帯のうち、第１周波数帯において、サービスセット識別子が含まれたビーコンを送信する第１通信部と、複数の周波数帯のうち、第１周波数帯とは異なった第２周波数帯において、第１通信部からのビーコンを受信したターミナルとの間の通信を実行する第２通信部とを備える。第１通信部は、本アクセスポイントに設定可能なサービスセット識別子の第１数よりも多い第２数のサービスセット識別子から、第１数以下の第３数のサービスセット識別子を時間とともに変更するとともに、第３数のサービスセット識別子のそれぞれが含まれたビーコンを送信し、第２通信部は、第１通信部において送信したビーコンに含めたサービスセット識別子を通信に使用する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、アクセスポイントに設定すべき複数のＳＳＩＤを効率的に制御できる。
【図面の簡単な説明】
【００１０】
【図１】本発明の実施例１に係る通信システムの構成を示す図である。
【図２】図１の通信システムにおける広告とＳＳＩＤとの関係を示す図である。
【図３】図１の選択部において選択されるＳＳＩＤの時間変化を示す図である。
【図４】図１の記憶部に記憶されたテーブルのデータ構造を示す図である。
【図５】図５（ａ）−（ｂ）は、図１の選択部において選択される別のＳＳＩＤを示す図である。
【図６】図１の管理装置によるＳＳＩＤの指示手順を示すフローチャートである。
【図７】図７（ａ）−（ｂ）は、本発明の実施例２に係る通信システムにおいて使用されるＳＳＩＤを示す図である。
【図８】本発明の実施例２に係る通信システムによる通信手順を示すシーケンス図である。
【図９】本発明の実施例３に係る通信システムの構成を示す図である。
【図１０】本発明の実施例４に係る管理装置に含まれる記憶部に記憶されたテーブルのデータ構造を示す図である。
【図１１】図１０の管理装置によるＳＳＩＤの指示手順を示すフローチャートである。
【図１２】本発明の実施例５に係る通信システムの構成を示す図である。
【図１３】図１３の管理装置に含まれる記憶部に記憶されたテーブルのデータ構造を示す図である。
【図１４】本発明の実施例５に係る通信システムによるビーコンの送信手順を示すシーケンス図である。
【図１５】本発明の実施例６に係る管理装置の構成を示す図である。
【図１６】図１５の記憶部に記憶されたテーブルのデータ構造を示す図である。
【図１７】本発明の実施例７に係る通信システムの構成を示す図である。
【発明を実施するための形態】
【００１１】
（実施例１）
本発明を具体的に説明する前に、概要を述べる。本発明の実施例は、ＩＥＥＥ８０２．１１規格に対応した無線ＬＡＮと広告配信技術とを組合わせた通信システムに関する。ユーザはステーションを操作することによって、アクセスポイント、ネットワークを介してウエブページにアクセスする。ウエブページでは、一般的にコンテンツと広告とが別々のサーバから配信される。これらの配信を切り離すことによって、例えば、同一のウエブページを閲覧している複数のユーザのそれぞれに対して、互いに異なった広告を配信することが可能になる。このような広告はアドサーバから配信されている。アドサーバは、媒体社によって保有・運用されることが多いが、広告主がアドサーバを保有することもある。
【００１２】
前述のごとく、アクセスポイントに複数のＳＳＩＤが設定可能である場合、ＳＳＩＤごとに異なった設定が可能になり、柔軟なネットワークの構築が可能になる。一方、ステーションからアクセスポイントに接続する場合、多くのＳＳＩＤが選択可能になり、ユーザにとってどのＳＳＩＤを選択すればよいか分かりにくくなる。また、その場で新たなサービスを申し込む場合には、接続先のＳＳＩＤが全く不明なケースがある。これらに対応するため、ＳＳＩＤと広告主とを１対１で対応づけ、さらに広告主を連想するような名称がＳＳＩＤに付与される。その結果、ユーザが閲覧したい広告に応じてＳＳＩＤを選択することが容易になる。さらに、広告主ごとの設定が可能なる。しかしながら、アクセスポイントにおいて同時に設定可能なＳＳＩＤの数は、１〜１６であり、広告主の数よりも少ない。
【００１３】
アクセスポイントにおいて設定可能なＳＳＩＤの数、つまりビーコンに含めてブロードキャスト送信可能なＳＳＩＤの数を増加するために、本実施例に係る通信システムは次の処理を実行する。ここでは、一例として、アクセスポイントに同時に設定可能なＳＳＩＤの数（以下、「第１数」という）を「４」とし、広告主の数に応じたＳＳＩＤの数（以下、「第２数」という）を「３２」とする。ネットワークを介して、アクセスポイントに接続された管理装置は、第２数のＳＳＩＤから第１数のＳＳＩＤを選択し、選択した各ＳＳＩＤをアクセスポイントに送信させる。所定時間の経過後、管理装置は、第２数のＳＳＩＤから第１数の別のＳＳＩＤを選択し、同様の処理を繰り返す。このように時分割でＳＳＩＤを変更しながら、アクセスポイントに送信させるので、アクセスポイントから実質的に送信可能なＳＳＩＤの数が増加する。
【００１４】
アクセスポイントの近傍にステーションが接近した場合、ステーションからプローブリクエストが送信され、そのプローブリクエストには、ステーションのＭＡＣアドレスが含まれる。管理装置は、アクセスポイント、ネットワークを介してＭＡＣアドレスを取得するので、ＭＡＣアドレスに応じたＳＳＩＤを選択し、前述の処理を実行する。ＭＡＣアドレスに応じたＳＳＩＤとは、当該ＭＡＣアドレスによって過去に使用されたＳＳＩＤの実績であり、今回も使用される可能性の高いＳＳＩＤといえる。使用される可能性の高いＳＳＩＤがビーコンに含まれて送信されるので、アクセスポイントに設定すべき複数のＳＳＩＤが効率的に制御される。
【００１５】
図１は、本発明の実施例１に係る通信システム１００の構成を示す。通信システム１００は、ステーション１０と総称される第１ステーション１０ａ、第２ステーション１０ｂ、アクセスポイント１２、広告板１４、ネットワーク１６、アドサーバ１８、管理装置２０、コンテンツサーバ２２を含む。アクセスポイント１２は、無線通信部３０、処理部３２、有線通信部３４、設定部３６、制御部３８を含み、管理装置２０は、有線通信部４０、取得部４２、記憶部４４、選択部４６、指示部４８、制御部５０を含む。また、アクセスポイント１２によってサービスエリア１１０が形成されている。
【００１６】
広告板１４は、プラズマディスプレイ、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＶＦＤ（Ｖａｃｕｕｍ  Ｆｌｕｏｒｅｓｃｅｎｔ  Ｄｉｓｐｌａｙ）、映像プロジェクタなどによって構成されており、文字・動画・静止画の広告を表示する。表示面積は建物の壁面サイズから自動販売機内蔵の小窓表示部サイズまでさまざまである。このような広告板１４による広告は、デジタル・サイネージ（Ｄｉｇｉｔａｌ  Ｓｉｇｎａｇｅ）とも呼ばれ、それは、表示と通信にデジタル技術を活用して平面ディスプレイやプロジェクタなどによって映像や情報を表示する広告媒体である。広告板１４は、ネットワーク１６を介してアドサーバ１８に接続されており、アドサーバ１８からの指示に応じて広告を表示する。広告は、例えば、「Ａ社」の広告、「Ｂ社」の広告、・・・、「Ｚ社」の広告、「Ａ社」の広告のように時間の経過とともに切りかえられて、周期的に表示される。
【００１７】
ステーション１０は、無線ＬＡＮの端末装置である。ステーション１０は、例えば、ＰＣ、携帯電話、スマートホン、タブレット等であってもよい。ステーション１０は、ＩＥＥＥ８０２．１１の規格に準拠した処理を実行することによって、無線通信部３０との無線通信を実行する。
【００１８】
アクセスポイント１２は、広告板１４の近傍に設置されており、サービスエリア１１０を形成する。近傍とは、サービスエリア１１０の中に広告板１４に含まれることを意味する。アクセスポイント１２のうちの無線通信部３０は、ステーション１０との間で無線通信を実行する。無線通信部３０も、ＩＥＥＥ８０２．１１の規格に準拠した処理を実行する。設定部３６は、無線通信部３０でのパラメータを設定する。ここでは、特に、無線通信部３０からブロードキャスト送信すべきビーコンに含まれるＳＳＩＤを設定する。なお、ひとつのビーコンには、ひとつのＳＳＩＤが含まれる。また、無線通信部３０に同時に設定可能なＳＳＩＤの数が、前述の第１数である。第１数の一例は、「４」である。無線通信部３０は、ひとつのＳＳＩＤが含まれたビーコンをブロードキャスト送信し、別のタイミングにおいて、別のＳＳＩＤが含まれたビーコンをブロードキャスト送信する。
【００１９】
本実施例において、ＳＳＩＤは、広告に関連づけられる。図２は、通信システム１００における広告とＳＳＩＤとの関係を示す。図示のごとく、広告欄２００、ＳＳＩＤ欄２０２が含まれる。広告欄２００には、対象となる広告の一覧が示される。広告Ａは、「Ａ社」の広告に相当し、広告Ｂは、「Ｂ社」の広告に相当する。ＳＳＩＤ欄２０２には、広告に対応したＳＳＩＤが示される。広告Ａに対しては、ＳＳＩＤとして「ａｄｖｅｒｔｉｓｅｍｅｎｔａ」が付与され、広告Ｂに対しては、ＳＳＩＤとして「ａｄｖｅｒｔｉｓｅｍｅｎｔｂ」が付与される。このようなＳＳＩＤの数は、前述の第２数に相当し、第２数は第１数よりも大きくなるように規定される。図１に戻る。
【００２０】
処理部３２は、無線通信部３０と有線通信部３４との間のインターフェイスであり、それらの間の処理を実行する。有線通信部３４は、ネットワーク１６を介して、アドサーバ１８、管理装置２０と通信する。制御部３８は、アクセスポイント１２の処理を制御する。
【００２１】
有線通信部４０は、ネットワーク１６を介して、有線通信部３４と通信する。有線通信部４０は、有線通信部３４からの情報を受信したり、有線通信部３４への情報を送信したりする。取得部４２は、有線通信部４０において受信した情報を取得する。例えば、アドサーバ１８からの表示タイミングの情報であって、かつ広告板１４において表示される広告の表示タイミングの情報が取得される。前述のごとく、広告板１４はアクセスポイント１２の近傍に設置されるので、広告板１４において表示される広告の表示タイミングは、アクセスポイント１２の使用環境についての情報といえる。取得部４２は、取得した情報を記憶部４４に記憶させる。記憶部４４は、取得部４２からの情報を記憶するとともに、図２に示された広告とＳＳＩＤとの対応関係が示されたテーブルも記憶する。
【００２２】
選択部４６は、記憶部４４に記憶した情報に応じて、第２数のＳＳＩＤから第１数以下の第３数のＳＳＩＤを選択する。説明を明瞭にするために、ここでは、第３数を「４」とし、第３数と第１数とを同一にする。選択部４６は、広告板１４において表示される広告に対応したＳＳＩＤを選択する。例えば、広告板１４において、「広告Ａ」、「広告Ｂ」、「広告Ｃ」、「広告Ｄ」が連続的に表示される場合、選択部４６は、「広告Ａ」、「広告Ｂ」、「広告Ｃ」、「広告Ｄ」のそれぞれに対応したＳＳＩＤを選択する。さらに、広告板１４において表示される広告が、「広告Ａ」から「広告Ｄ」以外の広告に変化する場合、選択部４６は、第２数のＳＳＩＤから、第３数のＳＳＩＤを時間とともに変更しながら選択する。
【００２３】
図３は、選択部４６において選択されるＳＳＩＤの時間変化を示す。縦方向には、第３数のＳＳＩＤが示される。ここでは、それらを「第１ＳＳＩＤ」から「第４ＳＳＩＤ」と示す。横方向には、時間の経過とともに選択されるＳＳＩＤが示される。最初のタイミングにおいて、第１ＳＳＩＤとして「ａｄｖｅｒｔｉｓｅｍｅｎｔａ」が選択され、第２ＳＳＩＤとして「ａｄｖｅｒｔｉｓｅｍｅｎｔｂ」が選択され、第３ＳＳＩＤとして「ａｄｖｅｒｔｉｓｅｍｅｎｔｃ」が選択され、第４ＳＳＩＤとして「ａｄｖｅｒｔｉｓｅｍｅｎｔｄ」が選択される。所定期間の経過後、図示のごとく、「ａｄｖｅｒｔｉｓｅｍｅｎｔｅ」から「ａｄｖｅｒｔｉｓｅｍｅｎｔｈ」が選択される。このようにＳＳＩＤは時分割して割りふられる。なお、ＳＳＩＤが巡回的に順次付与されてもよい。図１に戻る。
【００２４】
指示部４８は、選択部４６において選択した第３数のＳＳＩＤが含まれた情報を生成する。指示部４８は、有線通信部４０に対して、ネットワーク１６を介して有線通信部３４へ、生成した情報を送信させる。有線通信部３４は、指示部４８からの情報を受信する。設定部３６は、処理部３２を介して、処理部３２から情報を取得する。設定部３６は、取得した情報をもとに複数のＳＳＩＤを設定し、無線通信部３０に対して、複数のＳＳＩＤのそれぞれが含まれたビーコンを送信させる。なお、図３のごとく、ＳＳＩＤが時間とともに変更する場合、指示部４８は、ビーコンに含まれるべき第３数のＳＳＩＤが時間のそれぞれを時間とともに変更するように、設定部３６に指示する。
【００２５】
ステーション１０は、アクセスポイント１２からのビーコンを受信することによって、広告板１４において表示される複数の広告のそれぞれに対応するＳＳＩＤを取得する。ステーション１０を操作するユーザは、取得したＳＳＩＤの一覧を確認し、そのうちから閲覧を希望する広告に対応したＳＳＩＤを選択する。例えば、「広告Ａ」の閲覧を希望する場合、ユーザは、「ａｄｖｅｒｔｉｓｅｍｅｎｔａ」を選択する。ステーション１０は、選択したＳＳＩＤを使用することによって、アクセスポイント１２との接続処理を実行する。接続処理には公知の技術が使用されればよいので、ここでは説明を省略する。選択したＳＳＩＤに応じた設定にて、ステーション１０とコンテンツサーバ２２との間の通信が、アクセスポイント１２、ネットワーク１６とを介して実行される。ステーション１０は、コンテンツサーバ２２からのコンテンツを取得する。コンテンツは、例えば、閲覧を希望する広告に対応した情報を含む。
【００２６】
アクセスポイント１２は、ステーション１０のＭＡＣアドレスと、選択されたＳＳＩＤとの対応関係の情報を有線通信部４０へ出力する。取得部４２は、有線通信部４０を介して、対応関係の情報を取得し、対応関係を記憶部４４に記憶させる。つまり、記憶部４４は、アクセスポイント１２に過去にアクセスしたステーション１０のＭＡＣアドレスとＳＳＩＤとの対応関係を記憶する。図４は、記憶部４４に記憶されたテーブルのデータ構造を示す。図示のごとく、ＭＡＣアドレス欄２１０、ＳＳＩＤ欄２１２が含まれる。ＭＡＣアドレス欄２１０には、各ステーション１０のＭＡＣアドレスが示される。例えば、第１ステーション１０ａのＭＡＣアドレスである「ａｄｄｒｅｓｓａ」、第２ステーション１０ｂのＭＡＣアドレスである「ａｄｄｒｅｓｓｂ」等が含まれる。ＳＳＩＤ欄２１２には、ＭＡＣアドレスに対応したＳＳＩＤが示される。図１に戻る。
【００２７】
ステーション１０によるアクセスポイント１２へのアクセスが終了した後、ステーション１０がサービスエリア１１０へ再び進入すると、ステーション１０は、ＭＡＣアドレスが含まれたリソースリクエストを送信する。アクセスポイント１２の無線通信部３０は、リソースリクエストを受信し、処理部３２は、リソースリクエストに含まれたＭＡＣアドレスを抽出し、有線通信部３４は、ネットワーク１６を介して管理装置２０へＭＡＣアドレスを送信する。
【００２８】
取得部４２は、有線通信部４０を介して、アクセスポイント１２の使用環境についての情報として、アクセスポイント１２にアクセス可能なステーション１０のＭＡＣアドレスを取得する。選択部４６は、記憶部４４に記憶した図４の対応関係を参照することによって、取得部４２において取得したＭＡＣアドレスからＳＳＩＤを選択する。このように、過去の履歴よりＳＳＩＤの抽出あるいは誘導したいＳＳＩＤの抽出がなされる。さらに、取得部４２が新たなＭＡＣアドレスを取得すると、選択部４６は、第３数のＳＳＩＤを時間とともに変更しながら選択する。つまり、ステーション１０のＭＡＣアドレス履歴によるマッチングを実行することによって、ＳＳＩＤの動的な変更がなされる。指示部４８は、前述のごとく、選択したＳＳＩＤのそれぞれが含まれたビーコンの送信をアクセスポイント１２に指示する。制御部５０は、管理装置２０の処理を制御する。
【００２９】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３０】
ここでは、複数のＳＳＩＤの割当に関して、変形例を説明する。これまでは、選択部４６が、第３数のＳＳＩＤのすべてを選択している。一方、選択部４６は、第３数のＳＳＩＤの一部のＳＳＩＤを固定的に設定し、残りのＳＳＩＤを選択的に設定してもよい。図５（ａ）−（ｂ）は、選択部４６において選択される別のＳＳＩＤを示す。図５（ａ）には、第１ＳＳＩＤから第４ＳＳＩＤが示される。第１ＳＳＩＤと第２ＳＳＩＤには、ＳＳＩＤが固定的に割り当てられる。そのため、これらのＳＳＩＤに対して、前述の処理は不要になる。第３ＳＳＩＤと第４ＳＳＩＤには、ＳＳＩＤが動的に選択されて割り当てられる。特に、使用される可能性の高いＳＳＩＤが割り当てられる。なお、ここでは、固定的なＳＳＩＤの数が「２」であり、選択的なＳＳＩＤの数が「２」であるとしたが、これに限定されるものではない。図１に戻る。
【００３１】
選択部４６は、一定期間において、ビーコンに含めて送信させるべきＳＳＩＤの数が第１数よりも少ない場合、つまり取得部４２において取得したＭＡＣアドレスの数が第１数よりも少ない場合、第１数よりも少ない第４数のＳＳＩＤを選択する。一定期間は、例えば、１秒のように設定される。第１数が「４」である場合、第４数の一例は「３」である。それとともに、選択部４６は、第１数と第４数との差分の第５数のＳＳＩＤを未選択である。第５数は、前述の例の場合「１」である。
【００３２】
図５（ｂ）では、４つの使用可能なＳＳＩＤのうち、ひとつがリザーブとして未選択である。また、選択部４６は、第４数のＳＳＩＤが時間のうちの一部、例えば、第１ＳＳＩＤと第２ＳＩＤを固定し、第４数のＳＳＩＤのうちの残り、例えば、第３ＳＳＩＤを時間とともに変更しながら選択する。なお、一定期間において、取得部４２において取得したＭＡＣアドレスの数が第１数まで増加した場合、選択部４６は、リザーブしたＳＳＩＤへの割当を開始する。つまり、サービスエリア１１０に訪問したユーザ数が少ない場合、ビーコンに含めて送信すべきＳＳＩＤの数を減らすとともに、ステーション１０のＭＡＣアドレスを検知してから、最適なＳＳＩＤの送信が開始される。図１に戻る。指示部４８は、選択したＳＳＩＤを含んだビーコンがアクセスポイント１２から送信されていなければ、選択部４６において選択した第４数のＳＳＩＤのそれぞれだけが含まれたビーコンを送信するように、アクセスポイント１２に指示する。
【００３３】
以上の構成による通信システム１００の動作を説明する。図６は、管理装置２０によるＳＳＩＤの指示手順を示すフローチャートである。取得部４２は、ＭＡＣアドレスを取得する（Ｓ１０）。選択部４６は、ＳＳＩＤを取得する（Ｓ１２）。取得したＳＳＩＤが送信中でなければ（Ｓ１４のＮ）、指示部４８は、取得したＳＳＩＤの送信を指示する（Ｓ１６）。取得したＳＳＩＤが送信中であれば（Ｓ１４のＹ）、処理は終了される。
【００３４】
本発明の実施例によれば、アクセスポイントの使用環境についての情報に応じて第２数のＳＳＩＤから第３数のＳＳＩＤを選択するので、使用環境に適したＳＳＩＤを送信できる。また、広告板での広告に連動したＳＳＩＤを選択するので、ＳＳＩＤの選択を容易にできる。また、第３数のＳＳＩＤを変更しながら選択するので、第１数よりも多くのＳＳＩＤを送信できる。また、第１数よりも多くのＳＳＩＤが送信されるので、ネットワークを柔軟に構築できる。また、第５数のＳＳＩＤを選択しないので、周波数の利用効率を向上できる。また、一部のＳＳＩＤを固定し、残りのＳＳＩＤを選択するので、選択すべきＳＳＩＤの数が減少して、処理を容易にできる。
【００３５】
また、アクセスポイントに過去にアクセスしたステーションのＭＡＣアドレスとＳＳＩＤとの対応関係をもとに、取得したＭＡＣアドレスからＳＳＩＤを選択するので、使用される可能性の高いＳＳＩＤを選択できる。また、使用される可能性の高いＳＳＩＤが選択されるので、効率的に広告を配信できる。また、使用実績をフィードバックするので、より多くのアクセスのあるＳＳＩＤを動的に送信できる。
【００３６】
（実施例２）
実施例２は、実施例１と同様に、アクセスポイントに設定可能なＳＳＩＤの数よりも多い数のＳＳＩＤを時分割で送信する通信システムに関する。実施例１におけるアクセスポイントおよびステーションは、ひとつの周波数帯を使用する。一方、実施例２におけるアクセスポイントは、ひとつの周波数帯（以下、「Ｃｈ１」という）において、ＳＳＩＤが含まれたビーコンをブロードキャスト送信する。Ｃｈ１は、ビーコンの専用チャネルに相当し、通信に使用されない。このようなＣｈ１では、できるだけ多くのＳＳＩＤが巡回して送信される。ステーションは、Ｃｈ１においてＳＳＩＤを確認すると、ステーションとアクセスポイントは、別の周波数帯（以下、「Ｃｈ２」という）に遷移して、通信を実行する。Ｃｈ２は、通信のための専用チャネルに相当する。実施例２に係る通信システム１００は、図１と同様のタイプであるので、ここでは差異を中心に説明する。
【００３７】
図１におけるアクセスポイント１２は、複数の周波数帯を使用可能である。無線通信部３０は、複数の周波数帯のうち、Ｃｈ１において、ＳＳＩＤが含まれたビーコンを送信する。なお、無線通信部３０のうち、Ｃｈ１に対応した機能を便宜上「第１通信部」という。第１通信部は、第１数よりも多い第２数のＳＳＩＤから、第３数のＳＳＩＤを時間とともに変更するとともに、第３数のＳＳＩＤのそれぞれが含まれたビーコンを送信する。設定部３６は、これまでと同様に、管理装置２０からの指示をもとにＳＳＩＤを設定する。
【００３８】
図７（ａ）−（ｂ）は、本発明の実施例２に係る通信システム１００において使用されるＳＳＩＤを示す。図７（ａ）は、Ｃｈ１において送信されるＳＳＩＤを示す。例えば、「ａｄｖｅｒｔｉｓｅｍｅｎｔａ」から「ａｄｖｅｒｔｉｓｅｍｅｎｔｄ」が巡回的に送信される。ステーション１０は、このように巡回的に送信されたＳＳＩＤに対してアクセスする。図１に戻る。
【００３９】
無線通信部３０は、複数の周波数帯のうち、Ｃｈ１とは異なったＣｈ２において、第１通信部からのビーコンを受信したステーション１０との間の通信を実行する。なお、無線通信部３０のうち、Ｃｈ２に対応した機能を便宜上「第２通信部」という。第２通信部は、第１通信部において送信したビーコンに含めたＳＳＩＤを通信に使用する。Ｃｈ１からＣｈ２への遷移は、ステーション１０がアソシエーションリクエストを送信するタイミング、アソシエーションの終了後に通信を開始するタイミングのいずれでなされてもよい。なお、無線通信部３０は、Ｃｈ１からＣｈ２へ遷移させる指示をステーション１０に送信してもよい。図７（ｂ）は、Ｃｈ２において使用されるＳＳＩＤを示す。Ｃｈ１において送信された「ａｄｖｅｒｔｉｓｅｍｅｎｔａ」が、Ｃｈ２における通信でも使用される。図１に戻る。
【００４０】
管理装置２０の指示部４８は、アクセスポイント１２が使用可能な複数の周波数帯のうち、Ｃｈ１において、ＳＳＩＤが含まれたビーコンをアクセスポイントに送信させる。ここで、送信させるＳＳＩＤの選択は、実施例１と同様にされればよいので、ここでは説明を省略する。また、指示部４８は、Ｃｈ１とは異なったＣｈ２において、ＳＳＩＤに対応したデータ通信をアクセスポイント１２に実行させる。
【００４１】
図８は、本発明の実施例２に係る通信システム１００による通信手順を示すシーケンス図である。管理装置２０は、アクセスポイント１２にＳＳＩＤを指示する（Ｓ２０）。アクセスポイント１２は、ＳＳＩＤを設定する（Ｓ２２）。アクセスポイント１２は、Ｃｈ１のビーコンでＳＳＩＤを送信する（Ｓ２４）。ステーション１０は、ＳＳＩＤを選択する（Ｓ２６）。ステーション１０とアクセスポイント１２は、Ｃｈ２で接続処理を実行する（Ｓ２８）。ステーション１０とアクセスポイント１２は、Ｃｈ２で通信する（Ｓ３０）。
【００４２】
本発明の実施例によれば、ＳＳＩＤの送信とデータ通信とに異なった周波数帯を使用するので、第１周波数帯だけを確認することによって、ＳＳＩＤを取得できる。また、第１周波数帯において、ビーコンだけが繰り返し送信されるので、ＳＳＩＤの取得を高速化できる。また、第２周波数帯において、ビーコンが送信されないので、周波数の利用効率を向上できる。また、ビーコン繰り返し送信向け第１周波数帯から、通信のための周波数帯へ遷移させる場合において、遷移するＳＳＩＤの種別／内容に応じて、遷移先周波数帯の混雑状況等を勘案して、より適切な周波数帯を選択し遷移させることができる。これは、ＳＳＩＤに関係するサービス性に適した周波数を選択できることである。
【００４３】
（実施例３）
実施例３は、実施例１と同様に、アクセスポイントに設定可能なＳＳＩＤの数よりも多い数のＳＳＩＤを時分割で送信する通信システムに関する。実施例１での管理装置は、ひとつのアクセスポイントに対して、送信すべきＳＳＩＤを指示する。実施例３では、複数のアクセスポイントに対する管理装置の処理に関する。このような場合、場所が変わるごとに、名前やメールアドレスを登録することは、ユーザにとって煩わしい。これに対応するために、実施例３に係る管理装置は、実施例１と同様に、ステーションがひとつのアクセスポイント（以下、「第１アクセスポイント」という）に接続する際に、使用したＳＳＩＤと、当該ステーションのＭＡＣアドレスとの対応関係を記憶する。ステーションと第１アクセスポイントとの接続が切断されると、ステーションは、ＭＡＣアドレスが含まれたプローブリクエストを送信する。第１アクセスポイントとは別のアクセスポイント（以下、「第２アクセスポイント」という）がプローブリクエストを受信すると、ＭＡＣアドレスを抽出して管理装置へ送信する。
【００４４】
管理装置は、ＭＡＣアドレスを取得すると、既に記憶した対応関係をもとに、ＳＳＩＤを選択する。つまり、管理装置は、複数のアクセスポイントにわたって対応関係を使用する。管理装置は、選択したＳＳＩＤが含まれたビーコンの送信を第２アクセスポイントに指示する。このように、実施例３は、実施例１におけるサービスエリアを複数まとめて作動する。その結果、複数のアクセスポイントにまたがってステーションが移動する場合であっても、移動に追従するようにＳＳＩＤが選択される。
【００４５】
図９は、本発明の実施例３に係る通信システム１００の構成を示す。通信システム１００は、ステーション１０、アクセスポイント１２と総称される第１アクセスポイント１２ａ、第２アクセスポイント１２ｂ、ネットワーク１６、管理装置２０を含む。また、第１アクセスポイント１２ａによって第１サービスエリア１１０ａが形成され、第２アクセスポイント１２ｂによって第２サービスエリア１１０ｂが形成されている。第１サービスエリア１１０ａ、第２サービスエリア１１０ｂは、サービスエリア１１０と総称される。ここでは、ＳＳＩＤの選択動作を主として説明するために、図１の広告板１４、アドサーバ１８、コンテンツサーバ２２は省略される。アクセスポイント１２、管理装置２０の構成は、図１の同様のタイプであるので、ここでは差異を中心に説明する。
【００４６】
第１アクセスポイント１２ａと第２アクセスポイント１２ｂとが、ネットワーク１６を介して管理装置２０に接続される。最初の段階において、ステーション１０が第１アクセスポイント１２ａに接続される。その際、管理装置２０による第１アクセスポイント１２ａに対するＳＳＩＤ送信の指示は、実施例１と同様になされる。次の段階において、ステーション１０は、第１サービスエリア１１０ａから第２サービスエリア１１０ｂへ移動したとする。その際、ステーション１０と第１アクセスポイント１２ａとの接続が切断され、ステーション１０は、第２サービスエリア１１０ｂにおいてプローブリクエストをブロードキャスト送信する。
【００４７】
第２アクセスポイント１２ｂは、ステーション１０からのプローブリクエストを受信すると、プローブリクエストに含まれたＭＡＣアドレスを抽出する。第２アクセスポイント１２ｂは、ネットワーク１６を介して管理装置２０へＭＡＣアドレスを送信する。
【００４８】
管理装置２０の取得部４２は、アクセスポイント１２の使用環境についての情報として、第１アクセスポイント１２ａとは異なった第２アクセスポイント１２ｂにアクセス可能なステーション１０のＭＡＣアドレスを取得する。一方、記憶部４４は、第１アクセスポイント１２ａにアクセス済のステーション１０のＭＡＣアドレスとＳＳＩＤとの対応関係を実施例１と同様に記憶する。選択部４６は、記憶部４４に記憶した対応関係を参照することによって、取得部４２において取得したＭＡＣアドレスからＳＳＩＤを選択する。指示部４８は、選択したＳＳＩＤを含んだビーコンが第２アクセスポイント１２ｂから送信されていなければ、選択したＳＳＩＤが含まれたビーコンの送信を第２アクセスポイント１２ｂに指示する。
【００４９】
第２アクセスポイント１２ｂは、指示部４８から指示されたＳＳＩＤが含まれたビーコンをブロードキャスト送信する。ステーション１０は、ビーコンを受信し、ＳＳＩＤを抽出する。第１アクセスポイント１２ａとの間において既に使用したＳＳＩＤであれば、ステーション１０はそれを選択して第２アクセスポイント１２ｂとの通信に使用する。
【００５０】
なお、第１アクセスポイント１２ａと第２アクセスポイント１２ｂとが別の通信事業者であってもよい。その際、それぞれの通信事業者に対応した管理装置２０が設けられ、それらの間において、対応関係を記憶したデータベースの連携がなされる。これは、ＳＳＩＤのローミングに相当する。さらに、他のＷＷＡＮサービス提供者とのグローバルを含めた連携がなされてもよい。
【００５１】
本発明の実施例によれば、第１アクセスポイントにおけるＳＳＩＤの使用実績をもとに、第２アクセスポイントから送信するＳＳＩＤを決定するので、使用される可能性の高いＳＳＩＤを送信できる。これまで使用したＳＳＩＤが別のアクセスポイントから送信されているので、ステーションにとってはＳＳＩＤの選択を容易にできる。また、アクセスポイントを変えても、同一のＳＳＩＤをすぐに使用できるので、利便性を向上できる。
【００５２】
（実施例４）
実施例４は、実施例３と同様に、アクセスポイントに設定可能なＳＳＩＤの数よりも多い数のＳＳＩＤを時分割で送信する通信システムに関するとともに、複数のアクセスポイントに対する管理装置の処理に関する。実施例３において、ステーションと第１アクセスポイントとの接続が切断され、ステーションがプローブリクエストを送信したタイミングを契機として、管理装置が第２アクセスポイントへＳＳＩＤを指示する。一方、実施例４では、ステーションと第１アクセスポイントとが接続しながら、ステーションが第２アクセスポイントの方へ移動している場合に、管理装置が第２アクセスポイントへＳＳＩＤを指示する。具体的に説明すると、実施例３は、ＭＡＣアドレスの取得をもとにＳＳＩＤを選択しているのに対して、実施例４は、ステーションの位置情報をもとにＳＳＩＤを選択している。実施例４に係る通信システム１００は、図９と同様のタイプであるので、ここでは、差異を中心に説明する。
【００５３】
ステーション１０は、ＧＰＳ（Ｇｌｏｂａｌ  Ｐｏｓｉｔｉｏｎｉｎｇ  Ｓｙｓｔｅｍ）機能を有し、位置情報を取得する。ＧＰＳ機能による位置情報の取得には公知の技術が使用されればよいので、ここでは説明を省略する。位置情報は、緯度と経度によって示される。ステーション１０は、Ｇｅｏｌｏｃａｔｉｏｎ  ＡＰＩに対応し、アクセスポイント１２を介して、管理装置２０へ位置情報を送信する。ここで、Ｇｅｏｌｏｃａｔｉｏｎ  ＡＰＩは、ユーザの位置情報を扱うためのＡＰＩ（Ａｐｐｌｉｃａｔｉｏｎ  Ｐｒｏｇｒａｍｍｉｎｇ  Ｉｎｔｅｒｆａｃｅ）である。Ｇｅｏｌｏｃａｔｉｏｎ  ＡＰＩは、ウェブの標準化団体が仕様策定を進める規格である。これは公知の技術であるので、ここでは説明を省略する。
【００５４】
管理装置２０の記憶部４４は、各アクセスポイント１２が設置された位置情報を記憶する。図１０は、本発明の実施例４に係る管理装置２０に含まれる記憶部４４に記憶されたテーブルのデータ構造を示す。図示のごとく、アクセスポイント名欄２２０、位置情報欄２２２が含まれる。アクセスポイント名欄２２０に示されたアクセスポイント１２のそれぞれに対して、位置情報欄２２２に示されるような位置情報が対応づけられている。ここで、Ｌａ１は、緯度を示し、Ｌｏ１は、経度を示す。図９に戻る。また、記憶部４４は、アクセスポイント１２にアクセスすべきステーション１０のＭＡＣアドレスとＳＳＩＤとの対応関係を記憶する。この対応関係は、実施例１、３と同様の処理によって記憶される。
【００５５】
取得部４２は、アクセスポイント１２の使用環境についての情報として、ステーション１０の位置情報をもとに、記憶部４４に記憶した位置情報を参照することによって、ステーション１０にアクセスされる可能性の高いアクセスポイント１２を取得する。なお、この処理は、現在のアクセスポイント１２からステーション１０が離れていくことを検出した場合になされる。アクセスされる可能性の高いアクセスポイント１２は、例えば、ステーション１０からの距離が最も短いアクセスポイント１２に相当する。そのため、取得部４２は、ステーション１０の位置情報と、各アクセスポイント１２の位置情報とをもとに、各アクセスポイント１２までの距離を計算する。距離の計算には、例えば、ベクトル演算が使用される。
【００５６】
さらに、取得部４２は、各アクセスポイント１２までの距離の中から、最も距離の短いアクセスポイント１２を選択する。なお、アクセスされる可能性の高いアクセスポイント１２を選択する際に、ステーション１０の移動方向を考慮してもよい。その際、取得部４２は、ステーション１０の移動方向に存在するアクセスポイント１２の中から、最も距離の短いアクセスポイント１２を選択する。取得部４２は、選択したアクセスポイント１２に関する情報を選択部４６に出力する。
【００５７】
選択部４６は、取得部４２からアクセスポイント１２に関する情報を取得する。選択部４６は、記憶部４４に記憶した対応関係を参照することによって、取得部４２において取得したアクセスポイント１２にアクセスすべきステーション１０のＭＡＣアドレスからＳＳＩＤを選択する。つまり、選択部４６は、近傍のアクセスポイント１２を把握し、そのアクセスポイント１２に該当するＳＳＩＤを選択する。指示部４８は、選択したＳＳＩＤを含んだビーコンが第２アクセスポイント１２ｂから送信されていなければ、選択したＳＳＩＤが含まれたビーコンの送信を第２アクセスポイント１２ｂに指示する。
【００５８】
これに続く、アクセスポイント１２、ステーション１０の処理は、実施例３と同様であるので、ここでは説明を省略する。なお、以上の構成に、ＶＰＮサービスが組み合わされると、セキュアな環境の「おっかけ」が実現される。さらに、補足機能として、ユーザに対する近傍のアクセスポイント１２を周知するための機能が備えられてもよい。この機能は、（１）ユーザの所有する携帯電話へのメール、（２）エージェントによるプッシュ、（３）デジタルボードへの出力等によって実現される。
【００５９】
図１１は、管理装置２０によるＳＳＩＤの指示手順を示すフローチャートである。取得部４２は、ステーション１０の位置情報を取得する（Ｓ４０）。ステーション１０がアクセスポイント１２から離れていくことを検出した場合（Ｓ４２のＹ）、取得部４２は、新たなアクセスポイント１２を特定する（Ｓ４４）。当該ステーション１０に対応したＳＳＩＤが新たなアクセスポイント１２から送信されていなければ（Ｓ４６のＮ）、指示部４８は、ステーション１０に対応したＳＳＩＤの送信を新たなアクセスポイント１２に指示する（Ｓ４８）。ステーション１０がアクセスポイント１２から離れていくことを検出しない場合（Ｓ４２のＮ）、あるいは当該ステーション１０に対応したＳＳＩＤが新たなアクセスポイント１２から送信されている場合（Ｓ４６のＹ）、処理は終了される。
【００６０】
本発明の実施例によれば、位置情報をもとに近くのアクセスポイントを特定し、そのアクセスポイントから、これまで使用していたＳＳＩＤが送信されるので、どの場所に移動しても同一のＳＳＩＤを使用できる。そのため、どこに行っても、自宅／オフィスのＳＳＩＤをすぐに使用できる。また、場所に関係なく同一のＳＳＩＤが送信されるので、ユーザの利便性を向上できる。また、ホテルの会場や商業貸しスペース等においても、オフィス環境と同様なＳＳＩＤにて環境を構築できる。また、複数の企業の出入りする施設等にも使用できる。また、年配者等、ＳＳＩＤの設定が困難な人の出入りする施設にも適用できる。
【００６１】
（実施例５）
実施例５は、これまでと同様に、アクセスポイントに設定可能なＳＳＩＤの数よりも多い数のＳＳＩＤを時分割で送信する通信システムに関する。通信システムの安全性を高めるためには、ステーションがアクセスポイントにアクセスする際に、ステーションに対する認証の実行が望まれる。認証は、例えば、ＩＤおよびパスワードの入力によってなされる。しかしながら、ステーションが無線ＬＡＮに加えて、ＷＷＡＮ（Ｗｉｒｅｌｅｓｓ  Ｗｉｄｅ  Ａｒｅａ  Ｎｅｔｗｏｒｋ）にも対応する場合、両者の接続に異なるＩＤおよびパスワードを使用することは煩わしい。これに対応するために、実施例５では、ＷＷＡＮの加入者情報が確認できた場合に、アクセスポイントに対するステーションの接続を許可する。このような処理では、ＷＷＡＮと無線ＬＡＮとを同一の加入者情報で管理するので、ＷＷＡＮサービスを受けているユーザが、無線ＬＡＮを使用する際に利便性が向上する。
【００６２】
図１２は、本発明の実施例５に係る通信システム１００の構成を示す。通信システム１００は、ステーション６０、アクセスポイント１２、ネットワーク１６、管理装置２０、基地局装置６２、ＷＷＡＮ用ネットワーク６４、ＷＷＡＮ用管理装置６６を含む。ここでは、ＳＳＩＤの選択動作を主として説明するために、図１の広告板１４、アドサーバ１８、コンテンツサーバ２２は省略される。
【００６３】
ステーション６０は、これまでのステーション１０と同様に無線ＬＡＮに準拠した通信機能を有するとともに、ＷＷＡＮに準拠した通信機能も有する。ＷＷＡＮは、例えば、携帯電話システム、ＬＴＥ（Ｌｏｎｇ  Ｔｅｒｍ  Ｅｖｏｌｕｔｉｏｎ）、ＷｉＭＡＸ（登録商標）である。ステーション６０は、ＷＷＡＮの端末装置として、基地局装置６２と通信する。基地局装置６２は、一端側においてステーション６０に接続するとともに、他端側においてＷＷＡＮ用ネットワーク６４に接続する。さらに、基地局装置６２は、ＷＷＡＮ用ネットワーク６４を介してＷＷＡＮ用管理装置６６に接続する。ＷＷＡＮ用管理装置６６は、ステーション６０が基地局装置６２にアクセスしてきた場合に、ステーション６０の加入者情報を確認することによって、ステーション６０を認証する。認証が成功した場合に、ステーション６０は、ＷＷＡＮに接続される。なお、ステーション６０の認証については、公知の技術が使用されればよいので、ここでは説明を省略する。
【００６４】
管理装置２０の記憶部４４は、ステーション１０に関連したＷＷＡＮの加入者情報とステーション１０のＭＡＣアドレスとの第1の対応関係を記憶する。図１３は、管理装置２０に含まれる記憶部４４に記憶されたテーブルのデータ構造を示す。図示のごとく、ＷＷＡＮ加入者情報欄２３０、ＭＡＣアドレス欄２３２が含まれる。ＷＷＡＮ加入者情報欄２３０には、ステーション１０に関連したＷＷＡＮの加入者情報、ここではＩＤが「ｕｓｅｒａ」のように示される。なお、加入者情報としてパスワードが記憶されてもよい。ＭＡＣアドレス欄２３２には、各加入者情報に対応したＭＡＣアドレスが示される。図１２に戻る。また、記憶部４４は、これまでと同様に、ステーション１０のＭＡＣアドレスとＳＳＩＤとの第２の対応関係も記憶する。
【００６５】
取得部４２は、アクセスポイント１２の使用環境についての情報として、ステーション１０のＭＡＣアドレスを有線通信部４０を介して取得する。選択部４６は、記憶部４４に記憶した第１の対応関係を参照することによって、取得部４２において取得したＭＡＣアドレスに対するＷＷＡＮの加入者情報を特定する。選択部４６は、特定したＷＷＡＮの加入者情報に対する認証をＷＷＡＮ用管理装置６６に依頼する。これは、ＭＡＣアドレスの取得をトリガにして、ＷＷＡＮ加入者であるかを調べることに相当する。選択部４６は、ＷＷＡＮ用管理装置６６から認証の結果を受けつける。認証の結果がＯＫであった場合、つまり取得部４２において取得したＭＡＣアドレスに対するＷＷＡＮの加入者情報を確認した場合、選択部４６は、記憶部４４に記憶した第２の対応関係を参照することによって、取得部４２において取得したＭＡＣアドレスからＳＳＩＤを選択する。
【００６６】
指示部４８は、選択したＳＳＩＤを含んだビーコンがアクセスポイント１２から送信されていなければ、選択したＳＳＩＤが含まれたビーコンの送信をアクセスポイント１２に指示する。なお、他のＷＷＡＮサービス提供者とのグローバルを含めた連携も可能である。
【００６７】
図１４は、本発明の実施例５に係る通信システム１００によるビーコンの送信手順を示すシーケンス図である。ステーション６０は、プローブリクエストを送信する（Ｓ６０）。アクセスポイント１２は、受信したプローブリクエストからＭＡＣアドレスを抽出し、ＭＡＣアドレスを管理装置２０へ送信する（Ｓ６２）。管理装置２０は、問い合せをＷＷＡＮ用管理装置６６へ送信する（Ｓ６４）。ＷＷＡＮ用管理装置６６は、認証結果を管理装置２０へ送信する（Ｓ６６）。管理装置２０は、認証結果がＯＫであることを確認する（Ｓ６８）。管理装置２０は、ＳＳＩＤを選択する（Ｓ７０）。管理装置２０は、ＳＳＩＤをアクセスポイント１２へ送信する（Ｓ７２）。アクセスポイント１２は、ＳＳＩＤを設定し（Ｓ７４）、ビーコンを送信する（Ｓ７６）。
【００６８】
本発明の実施例によれば、ＷＷＡＮの加入者情報をもとに、無線ＬＡＮの認証を実行するので、認証のための処理を簡易にできる。また、無線ＬＡＮに対する認証を実行するので、安全性を向上できる。ＷＷＡＮと無線ＬＡＮとに対して同一のＩＤ等を使用するので、ユーザによるＩＤの管理を簡易にできる。
【００６９】
（実施例６）
実施例６は、これまでと同様に、アクセスポイントに設定可能なＳＳＩＤの数よりも多い数のＳＳＩＤを時分割で送信する通信システムに関する。これまでは、ステーションでの使用実績をもとに、広告に対応づけられたＳＳＩＤを割り当てる。さらに、公共の場所にやってくる不特定多数に対する効率的な広告付与方法が求められる。実施例６では、カテゴリをもとにステーションを分類し、カテゴリごとに過去の統計情報を活用し、ＳＳＩＤの割当がなされる。実施例６に係る通信システム１００は、図１と同様のタイプである。ここでは、これまでとの差異を中心に説明する。
【００７０】
図１５は、本発明の実施例６に係る管理装置２０の構成を示す。管理装置２０は、有線通信部４０、取得部４２、記憶部４４、選択部４６、指示部４８、制御部５０、推定部５２を含む。
【００７１】
取得部４２は、ステーション１０のＭＡＣアドレスとＳＳＩＤとＳＳＩＤとの組合せを取得する。取得部４２は、ＭＡＣアドレスをもとに、ステーション１０を複数のカテゴリのいずれかに分類する。例えば、ＭＡＣアドレスに対応づけられたプロファイルであって、かつステーション１０の所有者のプロファイルが予め記憶されており、取得部４２は、プロファイルに応じて分類を実行する。所有者のプロファイルの一例は、性別、年齢である。取得部４２は、分類した結果を記憶部４４に記憶させる。
【００７２】
記憶部４４は、アクセスポイント１２の使用環境についての情報として、ステーション１０のＭＡＣアドレスに対する過去のＳＳＩＤの使用実績であって、かつ広告に対応づけられたＳＳＩＤの使用実績を記憶する。図１６は、記憶部４４に記憶されたテーブルのデータ構造を示す。図示のごとく、カテゴリ欄２４０、ＭＡＣアドレス欄２４２、ＳＳＩＤ使用実績欄２４４が含まれる。カテゴリ欄２４０には、プロファイルにもとづいたカテゴリが示される。ＭＡＣアドレス欄２４２には、各カテゴリに含まれたステーション１０のＭＡＣアドレスが示されている。このようにひとつのカテゴリには複数のステーション１０が含まれる。ＳＳＩＤ使用実績欄２４４には、ＭＡＣアドレスに対応した過去のＳＳＩＤの使用実績が示されている。図１５に戻る。
【００７３】
推定部５２は、記憶部４４に記憶した使用実績をカテゴリごとに統計処理することによって、ステーション１０に適した広告を推定する。つまり、ＭＡＣアドレスで大衆の傾向を調べ、それに適した広告が推定される。統計処理には公知の技術が使用されればよいので、ここでは説明を省略する。選択部４６は、取得部４２において取得したＭＡＣアドレスをもとに、推定部５２において推定した広告に対応づけられたＳＳＩＤを選択する。なお、はじめての広告も記憶部４４に記憶したテーブルを参考に出稿可能としてもよい。
【００７４】
さらに、補足機能として、ユーザに対するＳＳＩＤを周知するための機能が備えられてもよい。この機能は、（１）ユーザの所有する携帯電話へのメール、（２）エージェントによるプッシュ、（３）デジタルボードへの出力等によって実現される。また、広告の出稿者へユーザレスポンス結果を報告してもよい。
【００７５】
本発明の実施例によれば、カテゴリごとに使用実績を統計処理することによって、ＳＳＩＤを選択するので、これまで使用していないＳＳＩＤを含めて有効なＳＳＩＤを選択できる。また、ＭＡＣアドレスと紐づいたカテゴリにて使用実績を集積するので、より確度の高い広告コンテンツを選択できる。
【００７６】
（実施例７）
実施例７は、これまでと同様に、アクセスポイントに設定可能なＳＳＩＤの数よりも多い数のＳＳＩＤを時分割で送信する通信システムに関し、実施例６と同様に、効率的な広告付与に関する。さらに、実施例７は、実施例６と同様に、ＳＳＩＤと広告をマッチングさせており、統計情報を活用する。一方、実施例７では、アドサーバとＷＥＢサーバによって構成されていた広告配信システムに、新たにＳＳＩＤと関連させた場所の概念を付加する。つまり、コンテンツだけではなく、場所も加味した最適な広告の配信がなされる。
【００７７】
図１７は、本発明の実施例７に係る通信システム１００の構成を示す。通信システム１００は、アクセスポイント１２と総称される第１アクセスポイント１２ａ、第２アクセスポイント１２ｂ、第３アクセスポイント１２ｃ、ネットワーク１６、管理装置２０、広告システム７０を含む。広告システム７０は、アドサーバ１８、ＷＥＢサーバ７２を含む。
【００７８】
図示のごとく、アドサーバ１８は、ＷＥＢサーバ７２に対応づけられている。ＷＥＢサーバ７２は、コンテンツサーバ２２と一体的に設けられてもよく、別に設けられてもよい。管理装置２０の記憶部４４は、図１６に示されたテーブルと同様のテーブルを記憶する。なお、実施例７に係る記憶部４４に記憶されたテーブルは、アクセスポイント１２の位置および時間の少なくとも一方ごとに設けられる。これは、アクセスポイント１２の位置および時間の少なくとも一方ごとに分類されたテーブルが生成されることに相当する。推定部５２は、記憶部４４に記憶したテーブルを参照して、ステーション１０がアクセスしたアクセスポイント１２の位置および時間の少なくとも一方ごとに推定を実行する。推定は、実施例６と同様の処理でもよい。このようにＭＡＣアドレスと各ロケーションのアクセスポイント１２間のテーブルがベースとなった処理がなされる。
【００７９】
なお、ステーション１０の場所特定には、Ｇｅｏｌｏｃａｔｉｏｎ  ＡＰＩが使用されてもよい。また、アプリケーションプログラムが連動してもよく、カメラによるセンシングがなされてもよい。
【００８０】
本発明の実施例によれば、アクセスポイントの位置および時間の少なくとも一方ごとに推定を実行するので、場所と時間によっても異なる特徴を抽出できる。また、場所と時間によっても異なる特徴が抽出されるので、アクセスポイントの位置および時間の少なくとも一方に適したＳＳＩＤを詳細に選択できる。また、ユーザ統計情報・場所情報を加味するので、最適なＳＳＩＤを選択できる。
【００８１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００８２】
１０  ステーション、  １２  アクセスポイント、  １４  広告板、  １６  ネットワーク、  １８  アドサーバ、  ２０  管理装置、  ２２  コンテンツサーバ、  ３０  無線通信部、  ３２  処理部、  ３４  有線通信部、  ３６  設定部、  ３８  制御部、  ４０  有線通信部、  ４２  取得部、  ４４  記憶部、  ４６  選択部、  ４８  指示部、  ５０  制御部、  １００  通信システム、  １１０  サービスエリア。
【図１】
2015043537.tif 000003
【図２】
2015043537.tif 000004
【図３】
2015043537.tif 000005
【図４】
2015043537.tif 000006
【図５】
2015043537.tif 000007
【図６】
2015043537.tif 000008
【図７】
2015043537.tif 000009
【図８】
2015043537.tif 000010
【図９】
2015043537.tif 000011
【図１０】
2015043537.tif 000012
【図１１】
2015043537.tif 000013
【図１２】
2015043537.tif 000014
【図１３】
2015043537.tif 000015
【図１４】
2015043537.tif 000016
【図１５】
2015043537.tif 000017
【図１６】
2015043537.tif 000018
【図１７】
2015043537.tif 000019